(57)【要約】【課題】吸入口の外側に複数の吹出口が形成された天井設置型空気調和装置において、吹出口から吹き出される空気の吹き出し方向を多彩に制御できるようにする。【解決手段】利用ユニット４は、内部に空気流路５８が形成されたケーシング５と、ケーシング５内に設けられる室内ファン４２と、ケーシング５内に設けられる利用側熱交換器４１と、ケーシング５の下面に設けられる化粧パネル９とを備えている。化粧パネル９は、空気流路５８に連通する吸入口６１と、吸入口６１の外側に配置されて空気流路５８に連通する複数の吹出口６２ａ、６２ｂとが形成されており、各吹出口６２ａ、６２ｂに回動可能な状態で水平フラップ６５ａ、６５ｂが配置されている。水平フラップ６５ａ、６５ｂは、吹出口６２ａ、６２ｂを通じて吹き出される空気の吹き出し方向が鉛直下向きよりも吸入口６１側を向く内方吹き出し状態にすることが可能である。【選択図】図７
2007285652.tif 000002
【特許請求の範囲】
【請求項１】
内部に空気流路（５８）が形成されたケーシング（５０）と、
前記ケーシング内に設けられ、前記空気流路内に空気を吸入させた後に、前記空気流路内から空気を吹き出すための送風ファン（４２）と、
前記ケーシング内に設けられ、前記空気流路内を流れる空気の熱交換を行うための熱交換器（４１）と、
前記ケーシングの下面に設けられ、前記空気流路に連通する吸入口（６１）と、前記吸入口の外側に配置されて前記空気流路に連通する複数の吹出口（６２ａ、６２ｂ）とが形成されており、前記各吹出口に回動可能な状態で風向調節羽根（６５ａ、６５ｂ）が配置された化粧パネル（９）とを備え、
前記風向調節羽根は、前記吹出口を通じて吹き出される空気の吹き出し方向が鉛直下向きよりも前記吸入口側を向く内方吹き出し状態にすることが可能である、
天井設置型空気調和装置（４）。
【請求項２】
前記風向調節羽根（６５ａ、６５ｂ）を９０度以上回転させることによって前記内方吹き出し状態にする、請求項１に記載の天井設置型空気調和装置（４）。
【請求項３】
前記空気流路（５８）内を流れる空気を加熱する加熱器として前記熱交換器（４１）を機能させる加熱運転を開始する際に、前記風向調節羽根（６５ａ、６５ｂ）の少なくとも１つを前記内方吹き出し状態にした運転である速暖運転を行う、請求項１又は２に記載の天井設置型空気調和装置（４）。
【請求項４】
前記空気流路（５８）内を流れる空気を冷却する冷却器として前記熱交換器（４１）を機能させる冷却運転を終了する際に、前記風向調節羽根（６５ａ、６５ｂ）の少なくとも１つを前記内方吹き出し状態にした運転である熱交乾燥運転を行う、請求項１〜３のいずれかに記載の天井設置型空気調和装置（４）。
【請求項５】
前記複数の風向調節羽根（６５ａ、６５ｂ）の一部は、前記吹出口（６２ａ、６２ｂ）を概ね塞ぐ閉止状態にすることが可能である、請求項１〜４のいずれかに記載の天井設置型空気調和装置（４）。
【請求項６】
前記空気流路（５８）の流路面積を変更するための流路面積変更機構（７１、７６、８１）をさらに備えている、請求項１〜５のいずれかに記載の天井設置型空気調和装置（４）。
【請求項７】
前記流路面積変更機構（７６、８１）は、前記空気流路（５８）に回動可能な状態で設けられた邪魔板（７７、８２）を有している、請求項６に記載の天井設置型空気調和装置（４）。
【発明の詳細な説明】
【技術分野】
【０００１】
本発明は、天井設置型空気調和装置、特に、吸入口の外側に複数の吹出口が形成された天井設置型空気調和装置に関する。
【背景技術】
【０００２】
従来の天井設置型空気調和装置は、内部に空気流路が形成されたケーシングと、ケーシング内に設けられた送風ファンや熱交換器と、ケーシングの下面に設けられた化粧パネルとを備えている。化粧パネルには、空気流路に連通する吸入口と、吸入口の外側に配置されて空気流路に連通する複数の吹出口とが形成されている。そして、各吹出口には、吹出口の長手方向の軸周りに回動可能な水平フラップが配置されている（例えば、特許文献１参照。）。
【特許文献１】特開２００３−２１４６９６号公報
【発明の開示】
【発明が解決しようとする課題】
【０００３】
上述の天井設置型空気調和装置では、吹出口に配置された水平フラップを、吹出口を通じて吹き出される空気の吹き出し方向が鉛直下向きよりも反吸入口側を向く角度範囲内で可変される外方吹き出し状態にして、空気の吹き出し方向を制御するようにしている。
しかし、近年では室内の快適性を高めることが強く望まれており、これに伴い、天井設置型空気調和装置においては、吹出口から吹き出される空気の吹き出し方向を多彩に制御することが望まれている。
【０００４】
本発明の課題は、吸入口の外側に複数の吹出口が形成された天井設置型空気調和装置において、吹出口から吹き出される空気の吹き出し方向を多彩に制御できるようにすることにある。
【課題を解決するための手段】
【０００５】
第１の発明にかかる天井設置型空気調和装置は、内部に空気流路が形成されたケーシングと、ケーシング内に設けられる送風ファンと、ケーシング内に設けられる熱交換器と、ケーシングの下面に設けられる化粧パネルとを備えている。送風ファンは、空気流路内に空気を吸入させた後に、空気流路内から空気を吹き出す。熱交換器は、空気流路内を流れる空気の熱交換を行う。化粧パネルは、空気流路に連通する吸入口と、吸入口の外側に配置されて空気流路に連通する複数の吹出口とが形成されており、各吹出口に回動可能な状態で風向調節羽根が配置されている。風向調節羽根は、吹出口を通じて吹き出される空気の吹き出し方向が鉛直下向きよりも吸入口側を向く内方吹き出し状態にすることが可能である。
【０００６】
この天井設置型空気調和装置では、風向調節羽根を内方吹き出し状態にすることが可能であるため、吹出口から吹き出された空気がすぐに吸入口から吸入される状態（すなわち、ショートサーキット状態）における運転が可能になり、従来のように、風向調節羽根を外方吹き出し状態においてしか運転できない場合に比べて、吹出口から吹き出される空気の吹き出し方向を多彩に制御することができ、これにより、室内の快適性を高めることができる。
【０００７】
第２の発明にかかる天井設置型空気調和装置は、第１の発明にかかる天井設置型空気調和装置において、風向調節羽根を９０度以上回転させることによって内方吹き出し状態にする。
【０００８】
第３の発明にかかる天井設置型空気調和装置は、第１又は第２の発明にかかる天井設置型空気調和装置において、空気流路内を流れる空気を加熱する加熱器として熱交換器を機能させる加熱運転を開始する際に、風向調節羽根の少なくとも１つを内方吹き出し状態にした運転である速暖運転を行う。
この天井設置型空気調和装置では、暖房運転のような加熱運転を開始する際に、風向調節羽根の少なくとも１つを内方吹き出し状態にした運転である速暖運転を行うことができる。ここで、速暖運転とは、例えば、熱交換器を空気流路内を流れる空気を加熱する加熱器として機能させた状態において、風向調節羽根の少なくとも１つを内方吹き出し状態にすることで、吹出口の少なくとも１つについてショートサーキット状態における運転を行い、これにより、熱交換器において加熱された後に吹出口から吹き出された空気がすぐに吸入口から吸入されるようにして、吹出口から吹き出される空気の温度を速く暖める運転である。そして、この天井設置型空気調和装置では、このような速暖運転を行うことによって、加熱運転を開始する際に、吹出口から吹き出される空気の温度を速く暖めることができるとともに、速暖運転中において、吹出口から吹き出される冷たい空気が室内に拡がるのを抑えることができる。
【０００９】
第４の発明にかかる天井設置型空気調和装置は、第１〜第３の発明のいずれかにかかる天井設置型空気調和装置において、空気流路内を流れる空気を冷却する冷却器として熱交換器を機能させる冷却運転を終了する際に、風向調節羽根の少なくとも１つを内方吹き出し状態にした運転である熱交乾燥運転を行う。
この天井設置型空気調和装置では、冷房運転や除湿運転のような冷却運転を終了する際に、風向調節羽根の少なくとも１つを内方吹き出し状態にした運転である熱交乾燥運転を行うことができる。ここで、熱交乾燥運転とは、例えば、送風ファンによる送風のみを行う状態や、熱交換器を空気流路内を流れる空気を加熱する加熱器として機能させた状態において、風向調節羽根の少なくとも１つを内方吹き出し状態にすることで、吹出口の少なくとも１つについてショートサーキット状態における運転を行い、これにより、吹出口から吹き出された空気がすぐに吸入口から吸入されるようにして、冷却運転において熱交換器の表面に付着した結露水を除去する運転である。そして、この天井設置型空気調和装置では、このような熱交乾燥運転を行うことによって、熱交換器におけるカビや臭いの発生等を抑えて清潔に保つことができるとともに、熱交乾燥運転中において、吹出口から吹き出されるやや暖かい空気が室内に拡がるのを抑えることができる。
【００１０】
第５の発明にかかる天井設置型空気調和装置は、第１〜第４の発明のいずれかにかかる天井設置型空気調和装置において、複数の風向調節羽根の一部を吹出口を概ね塞ぐ閉止状態にすることが可能である。
この天井設置型空気調和装置では、複数の風向調節羽根の一部を閉止状態にすることが可能であるため、複数の吹出口の一部を閉止した状態における運転が可能である。
【００１１】
第６の発明にかかる天井設置型空気調和装置は、第１〜第５の発明のいずれかにかかる天井設置型空気調和装置において、空気流路の流路面積を変更するための流路面積変更機構をさらに備えている。
この天井設置型空気調和装置では、流路面積変更機構をさらに備えているため、各吹出口から吹き出される空気の流量分配が可能である。
【００１２】
第７の発明にかかる天井設置型空気調和装置は、第６の発明にかかる天井設置型空気調和装置において、流路面積変更機構は、空気流路に回動可能な状態で設けられた邪魔板を有している。
この天井設置型空気調和装置では、流路面積変更機構が空気流路に回動可能な状態で設けられた邪魔板を有しているため、邪魔板の回転角度を調節することによって、各吹出口から吹き出される空気の流量分配が可能である。
【発明の効果】
【００１３】
以上の説明に述べたように、本発明によれば、以下の効果が得られる。
第１又は第２の発明では、ショートサーキット状態における運転が可能になり、従来のように、風向調節羽根を外方吹き出し状態においてしか運転できない場合に比べて、吹出口から吹き出される空気の吹き出し方向を多彩に制御することができ、これにより、室内の快適性を高めることができる。
【００１４】
第３の発明では、吹出口から吹き出される空気の温度を速く暖めることができるとともに、速暖運転中において、吹出口から吹き出される冷たい空気が室内に拡がるのを抑えることができる。
第４の発明では、熱交換器におけるカビや臭いの発生等を抑えて清潔に保つことができるとともに、熱交乾燥運転中において、吹出口から吹き出されるやや暖かい空気が室内に拡がるのを抑えることができる。
【００１５】
第５の発明では、複数の吹出口の一部を閉止した状態における運転が可能である。
第６又は第７の発明では、各吹出口から吹き出される空気の流量分配が可能である。
【発明を実施するための最良の形態】
【００１６】
以下、図面に基づいて、本発明にかかる天井設置型空気調和装置の実施形態について説明する。
（１）空気調和装置の構成
＜空気調和装置の全体構成＞
図１は、本発明にかかる天井設置型空気調和装置の一実施形態としての利用ユニット４が採用された空気調和装置１の概略構成図である。空気調和装置１は、蒸気圧縮式の冷凍サイクル運転を行うことによって、主として、室内の冷暖房に使用される装置である。空気調和装置１は、主として、熱源ユニット２と、利用ユニット４と、熱源ユニット２と利用ユニット４とを接続する冷媒連絡管６、７とを備えている。すなわち、本実施形態の空気調和装置１の蒸気圧縮式の冷媒回路１０は、熱源ユニット２と、利用ユニット４とが冷媒連絡管６、７を介して接続されることによって構成されている。
【００１７】
＜熱源ユニットの構成＞
熱源ユニット２は、例えば、屋上等の建物外に設置されている。熱源ユニット２は、冷媒連絡管６、７を介して利用ユニット４に接続されており、利用ユニット４との間で冷媒回路１０を構成している。
次に、熱源ユニット２の概略構成について説明する。熱源ユニット２は、主として、冷媒回路１０の一部を構成する熱源側冷媒回路１０ａを備えている。この熱源側冷媒回路１０ａは、主として、圧縮機２１と、四路切換弁２２と、熱源側熱交換器２３と、膨張機構としての膨張弁２４と、閉鎖弁２５、２６とを備えている。
【００１８】
圧縮機２１は、本実施形態において、圧縮機モータ２１ａによって駆動される容積式圧縮機である。
四路切換弁２２は、冷媒の流れの方向を切り換えるための弁であり、冷房運転時や除湿運転時には、熱源側熱交換器２３を圧縮機２１から吐出された冷媒の冷却器として、かつ、利用側熱交換器４１（後述）を膨張弁２４において減圧された冷媒の加熱器として機能させるために、圧縮機２１の吐出側と熱源側熱交換器２３の一端（ガス側端）とを接続するとともに圧縮機２１の吸入側と冷媒連絡管７とを接続し（図１の四路切換弁２２の実線を参照）、暖房運転時には、利用側熱交換器４１（後述）を圧縮機２１において吐出された冷媒の冷却器として、かつ、熱源側熱交換器２３を膨張弁２４で減圧された冷媒の加熱器として機能させるために、圧縮機２１の吐出側と冷媒連絡管７とを接続するとともに圧縮機２１の吸入側と熱源側熱交換器２３の一端（ガス側端）とを接続することが可能である（図１の四路切換弁２２の破線を参照）。
【００１９】
熱源側熱交換器２３は、冷房運転時には冷媒の冷却器として機能し、暖房運転時には冷媒の加熱器として機能する熱交換器である。熱源側熱交換器２３は、その一端が四路切換弁２２に接続され、その他端が冷媒連絡管６に接続されている。尚、後述のように、本実施形態においては、室外ファン２７によってユニット内に吸入される室外空気が熱源側熱交換器２３の熱源として使用されているが、空気に限定されず、水を熱源として使用してもよい。
【００２０】
膨張弁２４は、冷房運転時や除湿運転時には熱源側熱交換器２３において冷却されて利用側熱交換器４１（後述）に送られる冷媒を減圧し、暖房運転時には利用側熱交換器４１（後述）において冷却されて熱源側熱交換器２３に送られる冷媒を減圧する電動膨張弁である。
熱源ユニット２は、本実施形態において、ユニット内に室外空気を吸入して、熱源側熱交換器２３に供給した後に、室外に排出するための室外ファン２７を備えており、室外空気と熱源側熱交換器２３を流れる冷媒とを熱交換させることが可能である。この室外ファン２７は、ファンモータ２７ａによって駆動される。
【００２１】
閉鎖弁２５、２６は、外部の機器・配管（具体的には、冷媒連絡管６、７）との接続口に設けられた弁である。閉鎖弁２５は、熱源側熱交換器２３に接続されている。閉鎖弁２６は、四路切換弁２２に接続されている。
また、熱源ユニット２には、各種のセンサが設けられている。具体的には、熱源ユニット２には、圧縮機２１の吸入圧力Ｐｓを検出する吸入圧力センサ２８と、圧縮機２１の吐出圧力Ｐｄを検出する吐出圧力センサ２９とが設けられている。熱源ユニット２の室外空気の吸入口側には、ユニット内に流入する室外空気の温度（すなわち、室外温度Ｔａ）を検出する室外温度センサ３０が設けられている。室外温度センサ３０は、サーミスタからなる。また、熱源ユニット２は、熱源ユニット２を構成する各部の動作を制御する熱源側制御部３１を有している。そして、熱源側制御部３１は、熱源ユニット２の制御を行うために設けられたマイクロコンピュータやメモリ等を有しており、利用ユニット４の利用側制御部４６（後述）との間で伝送線８ａを介して制御信号等のやりとりを行うことができるようになっている。
【００２２】
＜利用ユニットの構成＞
利用ユニット４は、本発明の一実施形態にかかる天井設置型空気調和装置であり、建物内の天井に設置されている。利用ユニット４は、冷媒連絡管６、７を介して熱源ユニット２に接続されており、冷媒回路１０の一部を構成している。
次に、利用ユニット４の概略構成について説明する。利用ユニット４は、主として、冷媒回路１０の一部を構成する利用側冷媒回路１０ｂを備えている。この利用側冷媒回路１０ｂは、主として、利用側熱交換器４１を備えている。
【００２３】
利用側熱交換器４１は、冷房運転時や除湿運転時には冷媒の加熱器として機能し、暖房運転時には冷媒の冷却器として機能する熱交換器である。利用側熱交換器４１は、その一端が冷媒連絡管６に接続され、その他端が冷媒連絡管７に接続されている。
利用ユニット４は、本実施形態において、ユニット内に室内空気を吸入して、熱交換した後に、室内に供給するための室内ファン４２を備えており、室内空気と利用側熱交換器４１を流れる冷媒とを熱交換させることが可能である。このため、利用側熱交換器４１は、冷房運転時や除湿運転時には空気の冷却器として機能し、暖房運転時には空気の加熱器として機能する熱交換器であるともいえる。
【００２４】
また、利用ユニット４の室内空気の吸入口６１側には、ユニット内に流入する室内空気の温度（すなわち、室内温度Ｔｒ）検出する室内温度センサ４５が設けられている。本実施形態において、室内温度センサ４５は、サーミスタからなる。
また、利用ユニット４は、利用ユニット４を構成する各部の動作を制御する利用側制御部４６を備えている。そして、利用側制御部４６は、利用ユニット４の制御を行うために設けられたマイクロコンピュータやメモリ等を有しており、利用ユニット４を個別に操作するためのリモコン（図示せず）との間で制御信号等のやりとりを行ったり、熱源ユニット２の熱源側制御部３１との間で制御信号等のやりとりを行うことができるようになっている。
【００２５】
次に、図２〜図７を用いて、上述の利用側冷媒回路１０ｂや室内ファン４２等を備えた利用ユニット４の構造について説明する。ここで、図２は、本発明にかかる天井設置型空気調和装置の一実施形態としての利用ユニット４の外観斜視図（天井は省略）である。図３は、利用ユニット４の概略断面図であって、図４のＡ−Ａ断面に相当する図である。図４は、天板５１（後述）を取り除いた状態の利用ユニット４を上方から見た概略平面図である。図５は、化粧パネル９を上方から見た概略平面図（フィルタ６４は省略）である。図６は、利用ユニット４の概略断面図であって、図４のＢ−Ｂ断面に相当する図である。図７は、（ａ）閉止状態の水平フラップ６５ｂ（後述）、（ｂ）外方吹き出し状態の水平フラップ６５ｂ（後述）、（ｃ）内方吹き出し状態の水平フラップ６５ｂ（後述）を示す図であって、図５のＣ−Ｃ断面に相当する図である。
【００２６】
本実施形態の空気調和装置１は、天井埋込型の形態で設置される天井設置型空気調和装置であり、主として、内部に各種構成機器を収納するケーシング５を備えている。ケーシング５０は、主として、平面視が略長方形状でありかつ下面が開口した箱状のケーシング本体５０ａと、ケーシング本体５０ａの下面の開口を覆うようにケーシング本体５０ａの下部に装着されたドレンパン５０ｂとを有している。
【００２７】
ケーシング本体５０ａは、ケーシング５０の上面及び側面を構成しており、その平面視において、長辺と短辺とが交互に連続するように形成された略長方形状の天板５１と、天板５１の周縁部から下方に延びる側板５２、５３、５４、５５とを有している。側板５２、５４は、それぞれ、天板５１の長辺に対応しており、互いに対向する一対の対辺を構成している。側板５３、５５は、それぞれ、天板５１の短辺に対応しており、互いに対向する一対の対辺を構成している。
【００２８】
ドレンパン５０ｂは、ケーシング５０の下面を構成し、その平面視において、天板５１と同様、長辺と短辺とが交互に連続するように形成された略長方形状の板状部材であり、主として、ドレンパン本体５６を有している。
ドレンパン本体５６には、ケーシング５０の平面視において、複数（ここでは、２つ）の吸入開口５６ａ、５６ｂが形成されている。吸入開口５６ａ、５６ｂは、ケーシング５０の平面視において、ドレンパン５０ｂをケーシング長辺方向に２つに分割する面に対して略対称な位置に、かつ、ケーシング５０の平面視において、ドレンパン５０ｂをケーシング短辺方向の略中央の位置に配置されている。吸入開口５６ａ、５６ｂは、本実施形態において、略円形の孔である。ここで、ケーシング長辺方向とは、ケーシング５０の側板５２、５４に沿う方向をいう。また、ケーシング短辺方向とは、ケーシング５０の側板５３、５５に沿う方向をいい、ケーシング５０の平面視において、ケーシング長辺方向に直交している。尚、吸入開口５６ａ、５６ｂのうち側板５３側の吸入開口を吸入開口５６ａとし、側板５５側の吸入開口を吸入開口５６ｂとする。
【００２９】
また、ドレンパン本体５６には、ケーシング５０の平面視において、複数（ここでは、２つ）の吹出開口５６ｃ、５６ｄが形成されている。吹出開口５６ｃ、５６ｄは、ケーシング５０の平面視において、ドレンパン本体５６のケーシング短辺方向の両端側（すなわち、側板５２、５４側）の位置に配置されている。吹出開口５６ｃ、５６ｄは、本実施形態において、ケーシング５０の平面視において、ドレンパン本体５６の２つの長辺に沿って延びる細長い切り欠き部分である。尚、吹出開口５６ｃ、５６ｄのうち側板５２側の吹出開口を吹出開口５６ｃとし、側板５４側の吹出開口を吹出開口５６ｄとする。このように、ドレンパン本体５６に吹出開口５６ｃ、５６ｄが形成されることで、ケーシング５０の下面には、ケーシング長辺方向に沿って、吹出開口５６ｃと側板５２の内面とによって囲まれた略長方形状の孔と、吹出開口５６ｄと側板５４の内面とによって囲まれた略長方形状の孔とが形成されている。
【００３０】
ケーシング５０内には、送風ファンとしての室内ファン４２が配置されている、送風ファン４２は、本実施形態において、各吸入開口５６ａ、５６ｂに対向するように、かつ、回転軸線Ｏ−Ｏが上下方向に延びるように配置された２つの室内ファン４２ａ、４２ｂである。室内ファン４２ａ、４２ｂは、ターボファンからなる。室内ファン４２ａは、天板５１の吸入開口５６ａに対向する位置に設けられたファンモータ４３ａと、ファンモータ４３ａに連結されて回転駆動される羽根車４４ａとを有しており、また、室内ファン４２ｂは、室内ファン４２ａと同様に、天板５１の吸入開口５６ｂに対向する位置に設けられたファンモータ４３ｂ（図示せず）と、ファンモータ４３ｂに連結されて回転駆動される羽根車４４ｂ（図示せず）とを有している。羽根車４４ａ、４４ｂは、その下側から空気を吸入して外周側に向かって吹き出すことができる。
【００３１】
また、ドレンパン５０ｂの吸入開口５６ａには、羽根車４４ａの吸入開口５６ａ側の先端付近から下方に向かって末広がりの形状を有するベルマウス５７ａが配置されており、吸入開口５６ｂには、羽根車４４ｂの吸入開口５６ｂ側の先端付近から下方に向かって末広がりの形状を有するベルマウス５７ｂが配置されている。
また、ケーシング５０内には、ケーシング５０の平面視において、ケーシング５０の２つの長辺に沿うように利用側熱交換器４１が配置されている。利用側熱交換器４１は、本実施形態において、吹出開口５６ｃと室内ファン４２ａ、４２ｂとのケーシング短辺方向間をケーシング５０の側板５２に沿って延びる利用側熱交換器４１ａと、吹出開口５６ｄと室内ファン４２ａ、４２ｂとのケーシング短辺方向間をケーシング５０の側板５４に沿って延びる利用側熱交換器４１ｂとである。利用側熱交換器４１ａ、４１ｂは、本実施形態において、側板５３の近傍位置から側板５５の近傍位置まで真っ直ぐに延びている。利用側熱交換器４１ａ、４１ｂは、ケーシング５０の天板５１の内面からドレンパン５０ｂの上面に向かって略鉛直下方に向かって延びている。利用側熱交換器４１ａ、４１ｂは、例えば、クロスフィン等を用いたフィンアンドチューブ型熱交換器やコルゲートフィン等を用いた積層型熱交換器等からなる。利用側熱交換器４１ａ、４１ｂには、ケーシング５０の外側に設置される冷媒連絡管６、７との間で冷媒のやりとりするための冷媒管（図示せず）が接続されており、ケーシング５０の側板５２〜５５を貫通するように配置されている。また、ドレンパン本体５６には、利用側熱交換器４１において空気中の水分が凝縮されることによって発生した結露水を受けるドレン受け部５６ｅ、５６ｆが形成されている。ドレン受け部５６ｅ、５６ｆは、利用側熱交換器４１ａ、４１ｂの下端が挿入可能な略Ｕ字形状の断面を有しており、利用側熱交換器４１ａ、４１ｂの下側に配置されている。
【００３２】
また、ケーシング５０の下面には、化粧パネル９が設けられている。化粧パネル９は、平面視において、ケーシング５０（すなわち、天板５１やドレンパン５０ｂ）よりも大きな略長方形状の部材であり、ケーシング５０の２つの吸入開口５６ａ、５６ｂの両方に連通する吸入口６１と、ケーシング５０の各吹出開口５６ｃ、５６ｄに連通する吹出口６２ａ、６２ｂとが形成されている。吹出口６２ａ、６２ｂは、吹出開口５６ｃ、５６ｄに上下方向に対向するように、かつ、化粧パネル９の長辺に沿うように配置された細長い略長方形状の孔である。吸入口６１は、吹出口６２ａと吹出口６２ｂとによって両側から挟まれる位置に配置された開口である。すなわち、吹出口６２ａ、６２ｂは、化粧パネル９の平面視において、吸入口６１の外側に配置されている。また、吸入口６１の略中央には、吸入口６１の開口サイズよりも小さなカバーパネル６３が配置されており、カバーパネル６３の化粧パネル短辺方向両側に実質的な吸入口が形成されている。さらに、吸入口６１のカバーパネル６３の上側には、フィルタ６４が配置されている。
【００３３】
このように、ケーシング５０内には、吸入開口５６ａ、５６ｂから吹出開口５６ｃ、５６ｄに至る空気流路５８が形成されており、この空気流路５８内に室内ファン４２（具体的には、室内ファン４２ａ、４２ｂ）及び利用側熱交換器４１（具体的には、利用側熱交換器４１ａ、４１ｂ）が配置されている。この空気流路５８は、吸入開口５６ａ、５６ｂから室内ファン４２に至るまでの流路部分である吸入空気流路５９と、室内ファン４２から各吹出開口５６ｃ、５６ｄに至るまでの流路部分である吹出空気流路６０ａ、６０ｂとから構成されている。このような利用ユニット４において、室内ファン４２の運転を行うと、まず、室内空気は、化粧パネル９の吸入口６１及びフィルタ６４を通じて、吸入開口５６ａ、５６ｂから空気流路５８の吸入空気流路５９に吸入される。次に、吸入空気流路５９に吸入された空気は、室内ファン４２ａ、４２ｂによって吹出空気流路６０ａ、６０ｂに吹き出される。次に、吹出空気流路６０ａ、６０ｂに吹き出された空気は、利用側熱交換器４１ａ、４１ｂを通過して熱交換が行われる。最後に、利用側熱交換器４１ａ、４１ｂを通過した空気は、吹出空気流路６０ａ、６０ｂから化粧パネル９の吹出口６２ａ、６２ｂを通じて室内に吹き出される。
【００３４】
また、吹出口６２ａ、６２ｂには、化粧パネル長辺方向（すなわち、吹出口６２ａ、６２ｂの長手方向）の軸周りに回動可能な状態で風向調節羽根としての水平フラップ６５ａ、６５ｂがそれぞれ配置されている。水平フラップ６５ａ、６５ｂは、それぞれが対応する吹出口６２ａ、６２ｂの長手方向に細長く延びる略長方形状の羽根部材であり、その長手方向の両端に連結ピン６６がそれぞれ設けられている。そして、水平フラップ６５ａ、６５ｂは、それぞれ、連結ピン６６が化粧パネル９に回動可能に支持されることにより、吹出口６２ａ、６２ｂの長手方向の軸周りに回動可能になっている。そして、水平フラップ６５ａの側板５５側端の連結ピン６６と水平フラップ６５ｂの側板５５側端の連結ピン６６とは、化粧パネル短辺方向に延びるリンク機構としての連結軸６７によって連結されており、互いが同期して回転するようになっている。また、水平フラップ６５ｂの側板５３の連結ピン６６は、フラップモータ６８の駆動軸に連結されている。これにより、フラップモータ６８を駆動させると、連結軸６７及び水平フラップ６５ａ、６５ｂの両端に設けられた連結ピン６６を介して２つの水平フラップ６５ａ、６５ｂが同期して回転するようになっている。そして、この水平フラップ６５ａ、６５ｂの回転により、吹出口６２ａ、６２ｂから室内に吹き出される空気の吹き出し方向を制御できるようになっている。
【００３５】
本実施形態の水平フラップ６５ａ、６５ｂは、後述の各種運転動作に応じて、３つの状態（閉止状態、外方吹き出し状態、及び内方吹き出し状態）にすることが可能になっている。次に、水平フラップ６５ａ、６５ｂの各状態について説明するが、ここでは、水平フラップ６５ｂを例にして説明し、水平フラップ６５ａの説明は省略する。
まず、閉止状態においては、図７（ａ）に示されるように、水平フラップ６５ｂは、吹出口６２ｂを概ね塞いだ状態、すなわち、吹出口６２ｂと水平フラップ６５ｂとの隙間が最も小さくなった状態になっており、本実施形態において、水平フラップ６５ｂの水平面に対する傾斜角度α（図７（ａ）において、図示せず）は、０度になっている。また、この閉止状態において、水平フラップ６５ｂの外側縁は、吹出口６２ｂの外側縁に形成された凹部７０に当接した状態になっている。しかも、水平フラップ６５ｂは、この閉止状態において、化粧パネル９の下面に対して一体化するような平坦な下面を有している。
【００３６】
次に、外方吹き出し状態においては、図７（ｂ）に示されるように、水平フラップ６５ｂは、吹出口６２ｂを通じて吹き出される空気の吹き出し方向が鉛直下向きよりも反吸入口６１側を向く角度範囲内（水平面に対する傾斜角度αが０度から９０度の範囲内）で可変される状態になっている。この外方吹き出し状態は、フラップモータ６８によって水平フラップ６５ｂをＲ方向に９０度以下の角度範囲内で回転させることによって設定される。
【００３７】
次に、内方吹き出し状態においては、図７（ｃ）に示されるように、水平フラップ６５ｂは、吹出口６２ｂを通じて吹き出される空気の吹き出し方向が鉛直下向きよりも吸入口６１側を向く角度範囲内（水平面に対する傾斜角度αが９０度以上の範囲内）で可変される状態になっている。この内方吹き出し状態は、吹出口６２ａ、６２ｂから吹き出された空気がすぐに吸入口６１に吸入される状態（すなわち、ショートサーキット状態）における運転を行う際に設定される状態であるため、このようなショートサーキット状態を確実に実現するために、水平フラップ６５ｂの水平面に対する傾斜角度αは１２０度以上の範囲内で可変される。この内方吹き出し状態も、外方吹き出し状態と同様に、フラップモータ６８によって水平フラップ６５ｂをＲ方向に回転させることによって設定される。このような水平フラップ６５ａ、６５ｂの制御についても、上述の利用側制御部４６によって行われる。
【００３８】
そして、利用側制御部４６と熱源側制御部３１と制御部３１、４６間を接続する伝送線８ａとによって、空気調和装置１全体の運転制御を行う制御部８が構成されている。制御部８は、図８に示されるように、各種センサ２８〜３０、４５の検出信号を受けることができるように接続されるとともに、これらの検出信号等に基づいて各種機器及び弁２１ａ、２２、２４、２７ａ、４３ａ、４３ｂ、６８を制御することができるように接続されている。ここで、図８は、空気調和装置１の制御ブロック図である。
【００３９】
（２）空気調和装置の動作
次に、本実施形態の空気調和装置１の動作について説明する。
本実施形態の空気調和装置１の運転としては、熱源側熱交換器２３を圧縮機２１から吐出された冷媒の冷却器としてかつ利用側熱交換器４１を膨張弁２４において減圧された冷媒の加熱器（すなわち、空気流路５８内を流れる空気を冷却する冷却器）として機能させる冷却運転としての冷房運転や除湿運転と、利用側熱交換器４１を圧縮機２１において吐出された冷媒の冷却器（すなわち、空気流路５８内を流れる空気を冷却する加熱器）としてかつ熱源側熱交換器２３を膨張弁２４で減圧された冷媒の加熱器として機能させる加熱運転としての暖房運転とを行うことができる。そして、空気調和装置１では、冷房運転や除湿運転を終了する際に、冷房運転や除湿運転において熱交換器の表面に付着した結露水を除去する熱交乾燥運転を行うことができるようになっており、また、暖房運転を開始する際に、吹出口から吹き出される空気の温度を速く暖める速暖運転を行うことができるようになっている。
【００４０】
以下、空気調和装置１の各運転の動作について説明する。尚、以下の各運転における各種機器等の運転制御は、空気調和装置１の制御部８（より具体的には、利用側制御部４６と熱源側制御部３１と制御部３１、４６間を接続する伝送線８ａ）によって行われる。
（Ａ）冷房運転・除湿運転、及び熱交乾燥運転
冷房運転時や除湿運転時は、四路切換弁２２が図１の実線で示される状態、すなわち、圧縮機２１の吐出側が熱源側熱交換器２３の一端に接続され、かつ、圧縮機２１の吸入側が利用側熱交換器４１（具体的には、利用側熱交換器４１ａ、４１ｂ）の一端に接続された状態となっている。また、閉鎖弁２５、閉鎖弁２６は開にされ、膨張弁２４は開度調節されるようになっている。
【００４１】
この冷媒回路１０の状態で、圧縮機２１、室外ファン２７及び室内ファン４２（具体的には、室内ファン４２ａ、４２ｂ）を運転すると、低圧の冷媒は、圧縮機２１に吸入されて圧縮されて高圧の冷媒となって吐出される。この高圧の冷媒は、四路切換弁２２を経由して熱源側熱交換器２３に送られて、室外ファン２７によって供給される室外空気と熱交換を行って冷却される。そして、この熱源側熱交換器２３において冷却された高圧の冷媒は、膨張弁２４によって減圧されて低圧の冷媒となった後に、閉鎖弁２５及び冷媒連絡管６を経由して、利用ユニット４に送られる。
【００４２】
そして、膨張弁２４によって減圧されて利用ユニット４に送られた低圧の冷媒は、利用側熱交換器４１に送られ、室内から室内ファン４２によって化粧パネル９の吸入口６１を通じて空気流路５８内に吸入された空気と熱交換を行って加熱されるとともに、空気流路５８内を流れる空気を冷却する。そして、利用側熱交換器４１において冷却された空気は、空気流路５８の各吹出空気流路６０ａ、６０ｂから化粧パネル９の各吹出口６２ａ、６２ｂを通じて室内に吹き出される。ここで、各吹出口６２ａ、６２ｂに配置された水平フラップ６５ａ、６５ｂは、フラップモータ６８によって外方吹き出し状態（図７（ｂ）参照）になるように設定されているため、各吹出口６２ａ、６２ｂを通じて室内に吹き出される空気は、鉛直下向きよりも反吸入口６１側を向く方向に吹き出されることになる（図３参照）。また、利用側熱交換器４１では、冷媒と熱交換を行うことによって冷却される空気中に含まれる水分が結露して結露水となって表面に付着する。そして、この結露水のうち利用側熱交換器４１の表面を流下したものは、利用側熱交換器４１の下方に配置されたドレンパン５０ｂのドレン受け部５６ｅ、５６ｆによって受けられることになる。
【００４３】
そして、この利用側熱交換器４１において加熱された低圧の冷媒は、冷媒連絡管７を経由して熱源ユニット２に送られ、閉鎖弁２６及び四路切換弁２２を経由して、再び、圧縮機２１に吸入される。
次に、冷房運転や除湿運転を終了する際の動作について説明する。冷房運転や除湿運転においては、冷媒と空気とが熱交換を行うことによって利用側熱交換器４１の表面に付着した結露水の一部がドレン受け部５６ｅ、５６ｆに流下することなく残るため、これにより、カビや臭い等が発生するおそれがある。このため、冷房運転や除湿運転を終了する際には、利用側熱交換器４１の表面に付着した結露水を除去することが望ましい。そこで、本実施形態では、冷房運転や除湿運転を終了する際に、フラップモータ６８によって水平フラップ６５ａ、６５ｂを内方吹き出し状態（図７（ｃ）参照）になるように設定された状態における運転である熱交乾燥運転を行うようにしている。
【００４４】
この熱交乾燥運転について、図９を用いて説明する。ここで、図９は、熱交乾燥運転のフローチャートである。
まず、ステップＳ１において、冷房運転又は除湿運転を終了する旨の指令がされたかどうかを判断する。そして、冷房運転又は除湿運転を終了する旨の指令があった場合には、ステップＳ２の処理に移行する。
【００４５】
次に、ステップＳ２において、外方吹き出し状態に設定されている水平フラップ６５ａ、６５ｂを内方吹き出し状態になるようにフラップモータ６８を作動させるとともに、圧縮機２１を停止した状態にする。これにより、冷媒回路１０においては、冷媒の循環がなくなって利用側熱交換器４１において空気と冷媒との熱交換が行われない送風運転状態になり、利用ユニット４においては、空気流路５８から吹出口６２ａ、６２ｂを通じて吹き出された空気がすぐに吸入口６１を通じて吸入される状態（すなわち、ショートサーキット状態）になる（図１０参照）。ここで、図１０は、本実施形態の熱交乾燥運転又は速暖運転（後述）における利用ユニット４の概略断面図であって、図３に相当する図である。
【００４６】
このような運転制御により、空気流路５８を流れる空気が利用側熱交換器４１において冷却されなくなるため、冷房運転や除湿運転において利用側熱交換器４１の表面に付着した結露水が再蒸発して利用側熱交換器４１の表面から除去される熱交乾燥運転が開始されることになる。また、この熱交乾燥運転は、送風運転状態を伴う運転であるため、空気流路５８を流れる空気は、冷却されずにやや暖かい状態で吹出口６２ａ、６２ｂを通じて吹き出されることになるが、吹出口６２ａ、６２ｂについてショートサーキット状態における運転が行われているため、この吹出口６２ａ、６２ｂから吹き出されたやや暖かい空気が室内に拡がるのを抑えることができるようになっている。
【００４７】
そして、ステップＳ３において、熱交乾燥運転の終了条件に到達したかどうかを判断する。ここで、熱交乾燥運転の終了条件としては、例えば、タイマにより所定時間が経過した時点とすることができる。そして、この場合には、ステップＳ２の熱交乾燥運転を所定時間行った後、ステップＳ４の熱交乾燥運転の終了処理を行うことになる。
（Ｂ）速暖運転、及び暖房運転
まず、暖房運転を開始する際の動作について説明する。暖房運転を開始した直後は、室外（すなわち、冷媒回路１０を構成する機器や配管）の温度が低く、圧縮機２１の吐出側の冷媒の圧力（すなわち、吐出圧力Ｐｄ）を十分に高めることができないため、これにより、利用側熱交換器４１において空気流路５８を流れる空気は、吐出圧力Ｐｄがある程度高くなるまでは、冷媒と熱交換しても十分に加熱されず、冷たい状態のままで吹出口６２ａ、６２ｂを通じて吹き出されるおそれがある。このため、暖房運転を開始する際には、できるだけ速く吐出圧力Ｐｄを高めることが望ましい。そこで、本実施形態では、暖房運転を開始する際に、フラップモータ６８によって水平フラップ６５ａ、６５ｂを内方吹き出し状態（図７（ｃ）参照）になるように設定された状態における運転である速暖運転を行うようにしている。
【００４８】
この速暖運転及び引き続き行われる暖房運転について、図１１を用いて説明する。ここで、図１１は、速暖運転のフローチャートである。
まず、ステップＳ１１において、暖房運転を開始する旨の指令がされたかどうかを判断する。そして、暖房運転を開始する旨の指令があった場合には、ステップＳ１２の処理に移行する。
【００４９】
次に、ステップＳ１２において、冷媒回路１０においては、四路切換弁２２を図１の破線で示される状態、すなわち、圧縮機２１の吐出側が利用側熱交換器４１（具体的には、利用側熱交換器４１ａ、４１ｂ）の一端に接続され、かつ、圧縮機２１の吸入側が熱源側熱交換器２３の一端に接続された状態にする。閉鎖弁２５、閉鎖弁２６を開にして、膨張弁２４は開度調節された状態にする。そして、利用ユニット４においては、外方吹き出し状態に設定されている水平フラップ６５ａ、６５ｂを内方吹き出し状態になるようにフラップモータ６８を作動させる。
【００５０】
この冷媒回路１０の状態で、圧縮機２１、室外ファン２７及び室内ファン４２（具体的には、室内ファン４２ａ、４２ｂ）を運転すると、低圧の冷媒は、圧縮機２１に吸入されて圧縮されて高圧の冷媒となって吐出され、四路切換弁２２、閉鎖弁２６及び冷媒連絡管７を経由して、利用ユニット４に送られる。
そして、利用ユニット４に送られた高圧の冷媒は、利用側熱交換器４１において、室内から室内ファン４２によって化粧パネル９の吸入口６１を通じて空気流路５８内に吸入された空気と熱交換を行って冷却されるとともに、空気流路５８内を流れる空気を加熱する。しかし、上述のように、暖房運転を開始した直後は、吐出圧力Ｐｄが十分に高まっていないため、空気流路５８を流れる空気はほとんど加熱されることなく、空気流路５８の各吹出空気流路６０ａ、６０ｂから化粧パネル９の各吹出口６２ａ、６２ｂを通じて室内に吹き出される。
【００５１】
そして、この利用側熱交換器４１において冷却された高圧の冷媒は、冷媒連絡管６を経由して熱源ユニット２に送られて閉鎖弁２５を経由した後に、膨張弁２４によって減圧されて低圧の冷媒となる。この低圧の冷媒は、熱源側熱交換器２３に流入し、室外ファン２７によって供給される室外空気と熱交換を行って加熱されて低圧の冷媒となり、四路切換弁２２を経由して、再び、圧縮機２１に吸入される。
【００５２】
ここで、利用ユニットにおいては、各吹出口６２ａ、６２ｂに配置された水平フラップ６５ａ、６５ｂは、フラップモータ６８によって内方吹き出し状態になるように設定されているため、各吹出口６２ａ、６２ｂを通じて室内に吹き出される空気は、鉛直下向きよりも吸入口６１側を向く方向に吹き出されることになる。これにより、利用ユニット４においては、上述のように、空気流路５８から吹出口６２ａ、６２ｂを通じて吹き出された空気がすぐに吸入口６１を通じて吸入される状態（すなわち、ショートサーキット状態）になり（図１０参照）、空気流路５８から吹出口６２ａ、６２ｂを通じて吹き出される空気が効率よく繰り返して加熱されることになるため、暖房運転を開始する際に、吐出圧力Ｐｄを高めるとともに、吹出口６２ａ、６２ｂから吹き出される空気の温度を速く暖める速暖運転が開始されることになる。また、この速暖運転は吐出圧力Ｐｄが低い状態を伴う運転であるため、空気流路５８を流れる空気は、加熱されずに冷たい状態で吹出口６２ａ、６２ｂを通じて吹き出されることになるが、吹出口６２ａ、６２ｂについてショートサーキット状態における運転が行われているため、この吹出口６２ａ、６２ｂから吹き出された冷たい空気が室内に拡がるのを抑えることができるようになっている。
【００５３】
次に、ステップＳ１３において、速暖運転の終了条件に到達したかどうかを判断する。ここで、速暖運転の終了条件としては、例えば、タイマにより所定時間が経過した時点とすることができる。そして、この場合には、ステップＳ１２の速暖運転を所定時間行った後に、次のステップＳ１４の暖房運転に移行することになる。また、速暖運転の終了条件として、時間の代わりに、吐出圧力Ｐｄが所定圧力まで達した時点とすることもできる。そして、この場合には、ステップＳ１２の速暖運転を吐出圧力Ｐｄが所定圧力に達するまで行った後に、次のステップＳ１４の暖房運転に移行することになる。尚、吐出圧力Ｐｄが所定圧力まで達したかどうかを判断するための状態量は、吐出圧力Ｐｄだけに限らず、例えば、圧縮機２１の吐出側における冷媒の温度や、利用側熱交換器４１における冷媒の温度等を使用してもよい。
【００５４】
そして、ステップＳ１４において、内方吹き出し状態に設定されている水平フラップ６５ａ、６５ｂを外方吹き出し状態（図７（ｂ）参照）になるようにフラップモータ６８を作動させた状態にする。これにより、利用ユニット４においては、各吹出口６２ａ、６２ｂを通じて室内に吹き出される空気は、鉛直下向きよりも反吸入口６１側を向く方向に吹き出されることになり（図３参照）、暖房運転に移行される。
【００５５】
（３）空気調和装置の特徴
本実施形態の空気調和装置１、特に、利用ユニット４には、以下のような特徴がある。
（Ａ）
本実施形態の天井設置型空気調和装置としての利用ユニット４では、風向調節羽根としての水平フラップ６５ａ、６５ｂを内方吹き出し状態（図７（ｃ）参照）にすることが可能であるため、ショートサーキット状態における運転が可能になり、従来のように、水平フラップを外方吹き出し状態（図７（ｂ）参照）においてしか運転できない場合に比べて、吹出口６２ａ、６２ｂから吹き出される空気の吹き出し方向を多彩に制御することができ、これにより、室内の快適性を高めることができる。
【００５６】
例えば、暖房運転のような加熱運転を開始する際に、水平フラップ６５ａ、６５ｂを内方吹き出し状態にした運転である速暖運転を行うことができるため、加熱運転を開始する際に、吹出口６２ａ、６２ｂから吹き出される空気の温度を速く暖めることができるとともに、速暖運転中において、吹出口６２ａ、６２ｂから吹き出される冷たい空気が室内に拡がるのを抑えることができる。
【００５７】
また、冷房運転や除湿運転のような冷却運転を終了する際に、水平フラップ６５ａ、６５ｂを内方吹き出し状態にした運転である熱交乾燥運転を行うことができるため、熱交換器におけるカビや臭いの発生等を抑えて清潔に保つことができるとともに、熱交乾燥運転中において、吹出口６２ａ、６２ｂから吹き出されるやや暖かい空気が室内に拡がるのを抑えることができる。
【００５８】
（Ｂ）
本実施形態の利用ユニット４では、水平フラップ６５ａ、６５ｂを９０度以上回転させることによって内方吹き出し状態にしている。そして、水平フラップ６５ａ、６５ｂは、閉止状態（図７（ａ）参照）において、化粧パネル９の下面に対して一体化するような平坦な下面を有している。このため、水平フラップ６５ａ、６５ｂを９０度以上回転させることによって内方吹き出し状態にした場合においても、吹出口６２ａ、６２ｂから吹き出される空気は、スムーズに吸入口６１側に向かって吹き出されることになり、上述の速暖運転や熱交乾燥運転においてショートサーキット状態が得られやすくなっている。
【００５９】
（５）変形例１
上述の実施形態の熱交乾燥運転では、ステップＳ２において、外方吹き出し状態に設定されている水平フラップ６５ａ、６５ｂを内方吹き出し状態になるようにフラップモータ６８を作動させるとともに、圧縮機２１を停止して冷媒回路１０内の冷媒の循環がない状態にすることで、利用側熱交換器４１において空気と冷媒との熱交換が行われない送風運転状態にしているが、圧縮機２１を停止することなく四路切換弁２２を図１の破線で示される状態にして冷媒回路１０内の冷媒の循環方向を暖房運転と同じ状態にすることで、利用側熱交換器４１において空気流路５８内を流れる空気を加熱するようにして、利用側熱交換器４１の乾燥を促進するようにしてもよい。
【００６０】
尚、本変形例における熱交乾燥運転は、暖房運転状態を伴う運転であるため、空気流路５８を流れる空気は、上述の実施形態における熱交乾燥運転よりもさらに暖かい状態で吹出口６２ａ、６２ｂを通じて吹き出されることになるが、この場合においても、吹出口６２ａ、６２ｂについてショートサーキット状態における運転が行われているため、この吹出口６２ａ、６２ｂから吹き出された暖かい空気が室内に拡がるのを抑えることができるようになっている。
【００６１】
（６）変形例２
上述の実施形態や変形例１の利用ユニット４では、水平フラップ６５ａと水平フラップ６５ｂとが連結軸６７によって連結されており、１個のフラップモータ６８によって互いが同期して回転駆動されるようになっているが、図１２に示されるように、各水平フラップ６５ａ、６５ｂごとにフラップモータ６８ａ、６８ｂを設けるようにしてもよい。ここで、図１２は、本変形例の化粧パネル９を上方から見た概略平面図（フィルタ６４は省略）である。
【００６２】
本変形例の利用ユニット４を備えた空気調和装置１では、上述の実施形態や変形例１の機能に加えて、フラップモータ６８ａとフラップモータ６８ｂとを別々に制御することができるため、例えば、図１３に示されるように、吹出口６２ａについては、水平フラップ６５ａを外方吹き出し状態とするとともに、水平フラップ６５ｂを閉止状態とする片側閉止状態において、冷房運転や除湿運転又は暖房運転を行うことができる。ここで、図１３は、本変形例の片側閉止状態における利用ユニット４の概略断面図であって、図３に相当する図である。
【００６３】
この場合において、閉止状態となっている水平フラップ６５ｂの外側縁は、吹出口６２ｂの外側縁に形成された凹部７０に当接した状態になっているため、吹出口６２ｂを通じて流出する空気量を非常に小さくすることができる。
また、本変形例の利用ユニット４を備えた空気調和装置１では、上述の片側閉止状態を利用して、以下のような速暖運転を行うことができる。具体的には、上述の実施形態や変形例１の速暖運転では、ステップＳ１２において、水平フラップ６５ａ及び水平フラップ６５ｂの両方を内方吹き出し状態になるようにフラップモータ６８を作動させているが、例えば、図１４に示されるように、複数の風向調節羽根の一部としての水平フラップ６５ａのみが内方吹き出し状態になるようにフラップモータ６８ａを作動させて、水平フラップ６５ｂについては閉止状態にする。ここで、図１４は、本変形例の片側閉止状態を伴う速暖運転における利用ユニット４の概略断面図であって、図１０に相当する図である。
【００６４】
これにより、吹出口６２ｂから空気が吹き出されなくなり、冷たい空気が吹き出される吹出口が吹出口６２ａのみになるため、速暖運転中に、冷たい空気が室内に拡がるのをさらに抑えることができるようになっている。
（７）変形例３
上述の実施形態や変形例１、２の利用ユニット４では、水平フラップ６５ａ、６５ｂを両方とも開けた状態（すなわち、外方吹き出し状態や内方吹き出し状態のような閉止状態でない状態）においては、吹出口６２ａ及び吹出口６２ｂから吹き出される空気の流量分配を積極的に行うことができないが、例えば、図１５〜図１７に示されるように、空気流路５８（具体的には、吹出空気流路６０ａ、６０ｂ）の流路面積を変更するための流路面積変更機構７１を設けることで、吹出口６２ａ及び吹出口６２ｂから吹き出される空気の流量分配を積極的に行うことができるようにしてもよい。より具体的には、流路面積変更機構７１は、ドレンパン５０ｂの各吹出開口５６ｃ、５６ｄのケーシング長辺方向の両端に配置されており、ドレンパン５０ｂの上面をケーシング長辺方向にスライド可能に配置された邪魔板７２と、邪魔板７２をスライド駆動する駆動ローラ７４と、駆動ローラ７４を回転駆動する邪魔板モータ７３とを有している。このような流路面積変更機構７１では、邪魔板モータ７３によって駆動ローラ７４をＳ方向に回転させることによって、邪魔板７２を各吹出開口５６ｃ、５６ｄの一部を塞ぐようにＴ方向にスライドさせ、これにより、各吹出空気流路６０ａ、６０ｂの流路面積を変更して、吹出口６２ａ及び吹出口６２ｂから吹き出される空気の流量分配を積極的に行うことができる。ここで、図１５は、本変形例の天板５１を取り除いた状態の利用ユニット４を上方から見た概略平面図である。図１６は、本変形例の利用ユニット４の概略断面図であって、図１５のＢ−Ｂ断面に相当する図である。図１７は、本変形例の流路面積変更機構７１の構造を示す斜視図（例として、吹出開口５６ｄの側板５３側に配置されたものについて図示）である。
【００６５】
本変形例の利用ユニット４を備えた空気調和装置１では、上述の実施形態や変形例１、２の機能に加えて、流路面積変更機構７１によって各吹出空気流路６０ａ、６０ｂの流路面積を変更することができるため、例えば、図３及び図１８に示されるように、吹出口６２ａ及び吹出口６２ｂの両方を外方吹き出し状態にするとともに、吹出開口５６ｄ側の邪魔板７２をＴ方向にスライドさせた状態とする流量分配状態において、冷房運転や除湿運転又は暖房運転を行うことができる。ここで、図１８は、本変形例の流量分配状態における天板５１を取り除いた状態の利用ユニット４を上方から見た概略平面図である。
【００６６】
この場合においては、吹出口６２ａを通じて吹き出される空気の流量に比べて、吹出口６２ｂを通じて吹き出される空気の流量を小さくすることができるため、室内の気流分布をより良いものにすることができ、これにより、室内の快適性を高めることができる。また、本変形例における邪魔板７２は、複数の孔７２ａが形成されたパンチングメタルによって構成されているため、吹出空気流路６０ｂのうち邪魔板７２によって塞がれた部分についても空気の流れがある程度確保されるため、吹出口６２ｂの化粧パネル長辺方向の端部からもある程度空気が吹き出されるようになっている。
【００６７】
また、本変形例の利用ユニット４を備えた空気調和装置１では、上述の流量分配状態を利用して、以下のような速暖運転を行うことができる。具体的には、上述の実施形態や変形例１の速暖運転では、ステップＳ１２において、水平フラップ６５ａ及び水平フラップ６５ｂの両方を内方吹き出し状態になるようにしたり、上述の変形例２の速暖運転では、ステップＳ１２において、水平フラップ６５ａを内方吹き出し状態にするとともに、水平フラップ６５ｂを閉止状態になるようにしているが、例えば、図１８及び図１９に示されるように、水平フラップ６５ａが内方吹き出し状態に、そして、水平フラップ６５ｂが外方吹き出し状態にするとともに、吹出開口５６ｄ側の邪魔板７２をＴ方向にスライドさせた状態とする流量分配状態にする。ここで、図１９は、本変形例の流量分配状態を伴う速暖運転における利用ユニット４の概略断面図であって、図１０に相当する図である。
【００６８】
これにより、吹出口６２ａから吹き出される空気のみによって速暖運転を行い、そして、吹出口６２ｂから吹き出される空気の流量を小さくすることで、速暖運転中に、冷たい空気が室内に拡がるのを抑えながら、暖房運転も行うことができるようになっている。
（８）変形例４
上述の変形例３の利用ユニット４では、流路面積変更機構として、図１５〜図１８に示されるように、邪魔板７２を各吹出開口５６ｃ、５６ｄの一部を塞ぐようにＴ方向にスライドさせることで、空気流路５８（具体的には、吹出空気流路６０ａ、６０ｂ）の流路面積を変更する流路面積変更機構７１が設けられているが、流路面積変更機構の形態はこれに限定されず、空気流路５８（具体的には、吹出空気流路６０ａ、６０ｂ）に回動可能な状態で設けられた邪魔板を有する流路面積変更機構を設けるようにしてもよい。
【００６９】
例えば、図２０及び図２１に示される流路面積変更機構７６は、各吹出開口５６ｃ、５６ｄの両端に配置されており、ケーシング短辺方向を向く軸周りに回動可能に配置された邪魔板７７と、邪魔板７７を回転駆動する邪魔板モータ７８とを有している。このような流路面積変更機構７６では、邪魔板モータ７８によって邪魔板７７をＵ方向に回転させることによって、邪魔板７７を各吹出開口５６ｃ、５６ｄの一部を塞ぎ、これにより、各吹出空気流路６０ａ、６０ｂの流路面積を変更して、吹出口６２ａ及び吹出口６２ｂから吹き出される空気の流量分配を積極的に行うことができる。ここで、図２０は、本変形例の天板５１を取り除いた状態の利用ユニット４を上方から見た概略平面図である。図２１は、本変形例の利用ユニット４の概略断面図であって、図２０のＢ−Ｂ断面に相当する図である。
【００７０】
また、図２２及び図２３に示される流路面積変更機構８１は、各吹出開口５６ｃ、５６ｄのケーシング長辺方向の軸周りに回動可能な状態で配置された邪魔板８２と、邪魔板８２を回転駆動する邪魔板モータ８３とを有している。このような流路面積変更機構８１では、邪魔板モータ８３によって邪魔板８２をＶ方向に回転させることによって、邪魔板８２を各吹出開口５６ｃ、５６ｄの一部を塞ぎ、これにより、各吹出空気流路６０ａ、６０ｂの流路面積を変更して、吹出口６２ａ及び吹出口６２ｂから吹き出される空気の流量分配を積極的に行うことができる。ここで、図２２は、本変形例の利用ユニット４の概略断面図であって、図２３のＡ−Ａ断面に相当する図である。図２３は、本変形例の天板５１を取り除いた状態の利用ユニット４を上方から見た概略平面図である。
【００７１】
（９）その他
以上、本発明の実施形態及びその変形例について図面に基づいて説明したが、具体的な構成は、これらの実施形態及びその変形例に限られるものではなく、発明の要旨を逸脱しない範囲で変更可能である。
（Ａ）
上述の実施形態及びその変形例では、１台の熱源ユニット２に１台の利用ユニット４が接続された空気調和装置１に本発明を適用した例を説明したが、これに限定されず、例えば、１台の熱源ユニットに複数台の利用ユニットが接続された空気調和装置に本発明を適用したり、また、複数台の熱源ユニットに１台又は複数台の利用ユニットが接続された空気調和装置に本発明を適用する等のように、種々の型式の空気調和装置に本発明を適用してもよい。
【００７２】
（Ｂ）
上述の実施形態及びその変形例では、吸入口６１の外側に２つの吹出口６２ａ、６２ｂが形成された化粧パネル９を有する利用ユニット４に本発明を適用した例を説明したが、これに限定されず、例えば、化粧パネルの吸入口の外側に４つの吹出口が形成される等のように、３つ以上の吹出口が形成された化粧パネルを有する利用ユニットに本発明を適用してもよい。
【産業上の利用可能性】
【００７３】
本発明を利用すれば、吸入口の外側に複数の吹出口が形成された天井設置型空気調和装置において、吹出口から吹き出される空気の吹き出し方向を多彩に制御できるようになる。
【図面の簡単な説明】
【００７４】
【図１】本発明にかかる天井設置型空気調和装置の一実施形態としての利用ユニットが採用された空気調和装置の概略構成図である。
【図２】本発明にかかる天井設置型空気調和装置の一実施形態としての利用ユニットの外観斜視図（天井は省略）である。
【図３】利用ユニットの概略断面図であって、図４のＡ−Ａ断面に相当する図である。
【図４】天板を取り除いた状態の利用ユニットを上方から見た概略平面図である。
【図５】化粧パネルを上方から見た概略平面図（フィルタは省略）である。
【図６】利用ユニットの概略断面図であって、図４のＢ−Ｂ断面に相当する図である。
【図７】（ａ）閉止状態のフラップ、（ｂ）外方吹き出し状態のフラップ、（ｃ）内方吹き出し状態のフラップを示す図であって、図５のＣ−Ｃ断面に相当する図である。
【図８】空気調和装置の制御ブロック図である。
【図９】熱交乾燥運転のフローチャートである。
【図１０】熱交乾燥運転又は速暖運転における利用ユニットの概略断面図であって、図３に相当する図である。
【図１１】速暖運転のフローチャートである。
【図１２】変形例２の化粧パネルを上方から見た概略平面図（フィルタは省略）である。
【図１３】変形例２の片側閉止状態における利用ユニットの概略断面図であって、図３に相当する図である。
【図１４】変形例２の片側閉止状態を伴う速暖運転における利用ユニットの概略断面図であって、図１０に相当する図である。
【図１５】変形例３の天板を取り除いた状態の利用ユニットを上方から見た概略平面図である。
【図１６】変形例３の利用ユニットの概略断面図であって、図１５のＢ−Ｂ断面に相当する図である。
【図１７】変形例３の流路面積変更機構の構造を示す斜視図である。
【図１８】変形例３の流量分配状態における天板を取り除いた状態の利用ユニットを上方から見た概略平面図である。
【図１９】変形例３の流量分配状態を伴う速暖運転における利用ユニットの概略断面図であって、図１０に相当する図である。
【図２０】変形例４の天板を取り除いた状態の利用ユニットを上方から見た概略平面図である。
【図２１】変形例４の利用ユニットの概略断面図であって、図２０のＢ−Ｂ断面に相当する図である。
【図２２】変形例４の利用ユニットの概略断面図であって、図２３のＡ−Ａ断面に相当する図である。
【図２３】変形例４の天板を取り除いた状態の利用ユニットを上方から見た概略平面図である。
【符号の説明】
【００７５】
４  利用ユニット（天井設置型空気調和装置）
９  化粧パネル
４１  利用側熱交換器（熱交換器）
４２  室内ファン（送風ファン）
５０  ケーシング
５８  空気流路
６１  吸入口
６２ａ、６２ｂ  吹出口
６５ａ、６５ｂ  水平フラップ（風向調節羽根）が配置された
７１、７６、８１  流路面積変更機構
７２、７７、８２  邪魔板
【図１】
2007285652.tif 000003
【図２】
2007285652.tif 000004
【図３】
2007285652.tif 000005
【図４】
2007285652.tif 000006
【図５】
2007285652.tif 000007
【図６】
2007285652.tif 000008
【図７】
2007285652.tif 000009
【図８】
2007285652.tif 000010
【図９】
2007285652.tif 000011
【図１０】
2007285652.tif 000012
【図１１】
2007285652.tif 000013
【図１２】
2007285652.tif 000014
【図１３】
2007285652.tif 000015
【図１４】
2007285652.tif 000016
【図１５】
2007285652.tif 000017
【図１６】
2007285652.tif 000018
【図１７】
2007285652.tif 000019
【図１８】
2007285652.tif 000020
【図１９】
2007285652.tif 000021
【図２０】
2007285652.tif 000022
【図２１】
2007285652.tif 000023
【図２２】
2007285652.tif 000024
【図２３】
2007285652.tif 000025